(57)【要約】【課題】  時間帯、季節、天候及び家屋の立地場所に合わせて、家屋に設けられた電気機器を自動的に動作、停止させることで、長期不在時にも不自然さを感じさせることのない防犯システムを提供する。【解決手段】  太陽電池２０と、電気機器３０の動作を制御する機器制御装置１０とを備え、機器制御装置１０は、太陽電池２０の出力電圧データを検出する検出部１１と、通信ネットワーク４０からデータを受信する受信部１２と、ユーザ５０の入力を受け付ける入力部１３と、受信部１２で受信した時間データと入力部１３で受け付けた時間データとを記憶する記憶部１４と、出力電圧データと時間データとに基づいて、電気機器３０の動作開始又は動作停止のタイミングを判断する演算部１７と、を有し、ユーザ５０により防犯を目的とする防犯モードが設定された場合、機器制御装置１０が演算部１７の判断結果に基づき、電気機器３０の動作を自動的に制御する。【選択図】  図１
2014206852.tif 000002
【特許請求の範囲】
【請求項１】
発電装置である太陽電池と、家屋に設けられた電気機器と、前記太陽電池、前記電気機器及び通信ネットワークと接続され、前記電気機器の動作を制御する機器制御装置とを備え、
前記機器制御装置は、
前記太陽電池の出力電圧データを検出する検出部と、
通信ネットワークからデータを受信する受信部と、
ユーザの入力を受け付ける入力部と、
前記受信部で受信した時間データと前記入力部で受け付けた時間データとを記憶する記憶部と、
前記検出部で検出された出力電圧データと前記記憶部に記憶されている時間データとに基づいて、前記電気機器の動作開始又は動作停止のタイミングを判断する演算部と、を有し、
ユーザにより防犯を目的とする防犯モードが設定された場合、前記演算部の判断結果に基づき、前記電気機器の動作を自動的に制御することを特徴とする防犯システム。
【請求項２】
前記入力部で受け付けた時間データは、ユーザが希望する前記電気機器の動作開始時間に関する時間データであることを特徴とする請求項１記載の防犯システム。
【請求項３】
前記受信部で受信した時間データは、前記家屋が存在する地域に対応した、日の出時間又は日の入時間に関する時間データであることを特徴とする請求項１又は２のいずれかに記載の防犯システム。
【請求項４】
前記演算部には、前記出力電圧データと比較する第１の閾値と、前記第１の閾値と異なる第２の閾値とが設定され、
前記演算部は、少なくとも前記出力電圧データが前記第１の閾値を上回ったことを条件に前記電気機器の動作開始を判断し、少なくとも前記出力電圧データが前記第２の閾値を下回ったことを条件に前記電気機器の動作停止を判断することを特徴とする請求項１〜３記載の防犯システム。
【請求項５】
前記演算部には、前記出力電圧データと比較する第１の閾値と、前記第１の閾値と異なる第２の閾値とが設定され、
前記電気機器は２つの動作モードを有し、
前記演算部は、少なくとも前記出力電圧データが前記第１の閾値を上回ったことを条件に前記電気機器の第１の動作モードの動作開始を判断し、少なくとも前記出力電圧データが前記第２の閾値を下回ったことを条件に前記電気機器の第２の動作モードの動作開始を判断することを特徴とする請求項１〜３記載の防犯システム。
【請求項６】
前記演算部には、前記出力電圧データと比較する第１の閾値と、前記第１の閾値と異なる第２の閾値とが設定され、
前記演算部は、前記出力電圧データが前記第１の閾値を上回り、且つ時間が前記記憶部に記憶された時間データに基づく第１の設定時間を経過した場合に前記電気機器の動作開始を判断し、前記出力電圧データが前記第２の閾値を下回り、且つ時間が前記記憶部に記憶された時間データに基づく第２の設定時間を経過した場合に前記電気機器の動作停止を判断することを特徴とする請求項１〜３記載の防犯システム。
【請求項７】
前記演算部には、前記出力電圧データと比較する第１の閾値と、前記第１の閾値と異なる第２の閾値とが設定され、
前記電気機器は２つの動作モードを有し、
前記演算部は、前記出力電圧データが前記第１の閾値を上回り、且つ時間が前記記憶部に記憶された時間データに基づく第１の設定時間を経過した場合に前記電気機器の第１の動作モードの動作開始を判断し、前記出力電圧データが前記第２の閾値を下回り、且つ時間が前記記憶部に記憶された時間データに基づく第２の設定時間を経過した場合に前記電気機器の第２の動作モードの動作開始を判断することを特徴とする請求項１〜３記載の防犯システム。
【請求項８】
前記受信部は通信ネットワークから前記家屋が存在する地域に対応した気象データを受信し、
前記演算部は、前記気象データに応じて、前記電気機器の動作開始又は動作停止のタイミングを変化させることを特徴とする請求項１〜７記載の防犯システム。
【請求項９】
太陽電池の出力電圧データを検出する検出部と、
電気機器に対して動作指示を含む信号を送信する通信部と、
ユーザにより防犯を目的とする防犯モードが設定された場合、前記検出部で検出された出力電圧データに基づいて、前記電気機器の動作開始又は動作停止のタイミングを判断し、判断結果に基づき前記通信部を介して前記電気機器の動作を制御する演算部と、
を備えた機器制御装置。
【発明の詳細な説明】
【技術分野】
【０００１】
本発明は太陽電池の出力電圧に基づき屋内の電気機器を制御する防犯システムに関するものである。
【背景技術】
【０００２】
近年、家電機器や住宅設備機器などの複数の電気機器を一括で制御するシステム（例えば、ＨＥＭＳ：Ｈｏｍｅ  Ｅｎｅｒｇｙ  Ｍａｎａｇｅｍｅｎｔ  Ｓｙｓｔｅｍ）が普及してきている。これらシステムは、太陽電池などの発電装置から供給される電力に応じて各電気機器の運転を制御し省エネを図ることを主な目的としている。今後これらシステムが普及していくにあたり、これらシステムを防犯システムとして活用させることが求められている。
【０００３】
従来、屋内への不審者の侵入を未然に防止する防犯システムとして、予め録音した生活音等の音声データを住人の不在時にＡＶ装置で再生し、屋内で住人が生活しているように装うものが提案されている。（例えば、特許文献１参照）。また、太陽電池などの発電装置から供給される電力を利用して屋内のカーテンを揺らし、屋内に住人が在室しているように錯覚させる防犯装置が提案されている（例えば、特許文献２参照）。
【先行技術文献】
【特許文献】
【０００４】
【特許文献１】特開２００７−２６５０２１号公報
【特許文献２】特開２００６−６５５５３号公報
【発明の概要】
【発明が解決しようとする課題】
【０００５】
特許文献１のＡＶ装置を利用した防犯システムでは、早朝、午前、午後、夕刻、夜間、深夜と１日を複数の時間帯に区切り、各時間帯内でランダムに音声を再生するようになっている。しかし、季節によって日の出、日の入時間が異なるため、一日を単純に複数の時間帯に区切るだけでは季節の変化に十分に対応させることできない。また、日々の天候によっても屋外の明るさは変化するので、一日を単純に複数の時間帯に区切るだけでは天候の変化に十分に対応させることできない。さらに、家屋の存在する地域や立地場所によってもこれらは変化するものである。
【０００６】
そのため、特許文献１の防犯システムのように１日を決まった時間帯に区切り、各時間帯に応じた防犯動作を行うシステムでは、季節や天候によって区切る時間帯が日々変化する長期不在時には、防犯機能を十分に発揮させることが困難であった。例えば、日照時間の変化により夕刻に再生させるべく音声が日の入り後に再生される可能性があり、そのような場合に侵入を狙っている不審者に不自然さを感じさせてしまうおそれがある。
【０００７】
特許文献２の防犯装置では、時間や回数を変化させてカーテンを揺らすようになっている。しかし、タイマーのみによる制御であるため、長期不在の場合にはカーテンの動作がパターン化してしまう可能性があり、そのような場合に侵入を狙っている不審者に不自然さを感じさせてしまうおそれがある。
【０００８】
本発明は、上記のような課題を解決するためになされたもので、時間帯、季節、天候及び家屋の立地場所に合わせて、家屋に設けられた電気機器を自動的に動作又は停止させることで、長期不在時にも不自然さを感じさせることのない防犯システム及び機器制御装置を提供することを目的とする。
【課題を解決するための手段】
【０００９】
本発明に係る防犯システムは、発電装置である太陽電池と、家屋に設けられた電気機器と、太陽電池、電気機器及び通信ネットワークと接続され、電気機器の動作を制御する機器制御装置とを備え、機器制御装置は、太陽電池の出力電圧データを検出する検出部と、通信ネットワークからデータを受信する受信部と、ユーザの入力を受け付ける入力部と、受信部で受信した時間データと入力部で受け付けた時間データとを記憶する記憶部と、検出部で検出された出力電圧データと記憶部に記憶されている時間データとに基づいて、電気機器の動作開始又は動作停止のタイミングを判断する演算部と、を有し、ユーザにより防犯を目的とする防犯モードが設定された場合、演算部の判断結果に基づき、電気機器の動作を自動的に制御する。
【発明の効果】
【００１０】
本発明によれば、防犯モードが設定された場合に、太陽電池の出力電圧データに基づいて電気機器を自動的に動作させることで、時間帯、季節、天候又は家屋の立地場所などによって変化する家屋への日射状況に応じて電気機器の動作タイミングが変化するので、長期不在時にも屋内に住人が在室しているように感じさせることができ、高い防犯効果を発揮させることが可能である。
【図面の簡単な説明】
【００１１】
【図１】本発明の実施の形態１に係る防犯システムの構成を示す図である。
【図２】本発明の実施の形態１、２に係る防犯システムの動作の一部を示すフローチャートである。
【図３】本発明の実施の形態１に係る防犯システムの動作の一部を示すフローチャートである。
【図４】本発明の実施の形態１に係る防犯システムの動作の一部を示すフローチャートである。
【図５】本発明の実施の形態２に係る防犯システムの動作の一部を示すフローチャートである。
【図６】本発明の実施の形態２に係る防犯システムの動作の一部を示すフローチャートである。
【図７】本発明の実施の形態３に係る防犯システムの動作を示すフローチャートである。
【発明を実施するための形態】
【００１２】
実施の形態１．
図１は実施の形態１に係る防犯システムの構成を示す図である。図１に示すように、実施の形態１の防犯システム１００は、機器制御装置１０と、機器制御装置１０に接続された太陽電池２０、複数の電気機器３０及び通信ネットワーク４０と、機器制御装置１０を操作するユーザ５０とで構成されている。
【００１３】
機器制御装置１０は、太陽電池２０の出力電圧を検出する検出部１１と、通信ネットワーク４０から各種データを受信する受信部１２と、ユーザ５０の入力を受け付ける入力部１３と、受信部１２で受信したデータと入力部１３で受け付けたデータとを記憶する記憶部１４と、現在の時間データを有する時計部１５と、一つ又は複数の電気機器３０に対して駆動、停止等の指示を含む信号を送信する通信部１６と、検出部１１で検出した出力電圧データ、記憶部１４に記憶されているデータ、及び時計部１５の時間データに基づいて一つ又は複数の電気機器３０の動作開始及び動作停止のタイミングを判断し、通信部１６を介して電気機器３０の動作を制御する演算部１７とを備える。また、機器制御装置１０は通信部１６を介して、電気機器３０の動作状態などの機器情報を受信することができる。
【００１４】
太陽電池２０は家屋の屋外に設置されている。太陽電池２０に日光が当たると発電が行われ、発電量に応じた電圧が出力される。そして、太陽電池２０の出力電圧に基づく出力電圧データが、機器制御装置１０の検出部１１を介して演算部１７に入力する。なお、太陽電池２０は機器制御装置１０に発電量に応じた電圧を出力する機能と、屋内の電気機器３０に電力を供給する機能とを有する太陽電池であってもよい。
【００１５】
複数の電気機器３０としては、電動式の雨戸３１、エアコン３２、換気扇３３、テレビ３４、照明３５などがある。各電気機器３１〜３５は、機器制御装置１０の通信部１６と通信可能な通信部を備えており、機器制御装置１０の通信部１６と各電気機器３１〜３５の通信部とは無線又は有線でそれぞれ接続されている。そして、各電気機器３１〜３５は機器制御装置１０の通信部１６から送信された動作指示を含む信号を受信することで動作するようになっている。
【００１６】
具体的には、雨戸３１は開放動作、閉鎖動作の２つの動作モードを有しており、機器制御装置１０からの信号によってこれら２つの動作が制御される。エアコン３２は、機器制御装置１０からの信号によって圧縮機やファンの駆動、停止が制御される。換気扇３３は、機器制御装置１０からの信号によってファンの駆動、停止が制御される。テレビ３４は、機器制御装置１０からの信号によって音声等の出力開始動作、出力停止動作が制御される。照明３５は、機器制御装置１０からの信号によって点灯、消灯が制御される。なお、図１には機器制御装置１０に接続される複数の電気機器３０として５つの電気機器３１〜３５を示したが、これらに限定することはなく、他の電気機器を機器制御装置１０に接続し、動作を制御させてもよい。
【００１７】
通信ネットワーク４０はインターネットなどのネットワークである。機器制御装置１０の受信部１２は、通信ネットワーク４０から家屋が存在する地域の日の出時間、日の入時間などの時間データや、気温などの気象データなどを受信する。機器制御装置１０の受信部１２で受信したこれらのデータは、機器制御装置１０の記憶部１４に記憶される。
【００１８】
ユーザ５０は機器制御装置１０が設置された家屋の住人である。ユーザ５０は入力部１３を介して機器制御装置１０に各種情報を入力することができる。ユーザ５０が入力する情報としては、防犯を目的とする防犯モードの設定・解除、防犯モードで動作させる電気機器３０の設定・解除、防犯モードにおける電気機器３０の動作開始時間、動作停止時間などである。入力部１３に入力されたこれら情報はデータとして記憶部１４に記憶される。
【００１９】
次に、防犯システム１００の動作について説明する。図２〜４は実施の形態１に係る防犯システムの動作の一部を示すフローチャートである。なお、実施の形態１では、防犯モードで雨戸３１を開閉動作させる防犯システムの動作について説明するが、雨戸３１に変えて電動カーテンや電動ブラインドなどを開閉動作させるようにしてもよい。
【００２０】
図２に示すように、ユーザ５０により防犯モードが設定されると防犯システム１００の動作が開始される（Ｓ００１）。まず演算部１７が時計部１５から時間データを取得し、現在の時間が０〜１２時に該当するか判断する（Ｓ００２）。次に、演算部１７は通信部１６を介して雨戸３１が閉まっているか又は開いているかの情報を取得する（Ｓ００３、Ｓ００４）。これらの処理結果により以降の動作が異なり、図３、４を用いて順に説明する。
【００２１】
（Ａ）時間が０〜１２時の範囲内（つまり午前）であり、雨戸３１が閉まっている場合
図３に示すように、まず、演算部１７が記憶部１４のデータを取得し、記憶部１４にユーザ５０により雨戸開放時間が設定されているかを判断する（Ｓ１０１）。雨戸開放時間とは、ユーザ５０が予め機器制御装置１０の入力部１３に入力する時間データであり、ユーザ５０が希望する雨戸３１の開放動作の開始時間である。
【００２２】
雨戸開放時間が設定されている場合には、演算部１７はその時間（例えば７時）を設定時間ｍとして処理する（Ｓ１０２）。一方、雨戸開放時間が設定されていない場合には、受信部１２を介して通信ネットワーク４０から家屋が存在する地域の本日の日の出時間データを取得し、記憶部１４に記憶する（Ｓ１０３）。そして、演算部１７はその日の出時間（例えば６時）を設定時間ｍとして処理する（Ｓ１０４）。なお、取得した日の出時間から所定時間（例えば３０分）を短縮させた時間や延長させた時間を設定時間ｍとして処理してもよい。
【００２３】
次に、演算部１７は検出部１１を介して太陽電池２０の出力電圧Ｐを取得し、出力電圧Ｐが所定値Ｘを上回っているかを判断する（Ｓ１０５、Ｓ１０６）。ここで、所定値Ｘとは演算部１７に予め設定された閾値であり、例えば、日常生活にて雨戸を開放すると考えられる日射量や時間帯における太陽電池２０の出力電圧などに基づき設定されている。なお、所定値Ｘと比較する出力電圧Ｐは、瞬時値でもよく、所定時間の平均値でもよい。
【００２４】
そして、出力電圧Ｐが所定値Ｘを上回っている場合には、演算部１７は通信部１６を介して雨戸３１を開放させる（Ｓ１０７）。一方、出力電圧Ｐが所定値Ｘを上回っていない場合には、演算部１７は現在の時間が設定時間ｍを経過したかを判断する（Ｓ１０８）。そして、時間が設定時間ｍを経過している場合には雨戸３１を開放させる（Ｓ１０７）。一方、時間が設定時間ｍ経過していない場合には再び太陽電池２０の出力電圧Ｐを検出し、条件を満たすまで繰り返す。なお、出力電圧Ｐが所定値Ｘを上回っていると判断した場合に、再度出力電圧Ｐを取得して改めて取得した出力電圧Ｐが所定値Ｘを上回っているかを判断するようにしてもよい。日射量は天候等によっては短時間で変動するため、これら動作を複数回実施することで一時的に日差しが強まった時点ではなく、安定して日差しが当たるようになった時点を判断することができる。
【００２５】
条件を満たし雨戸３１の開放が完了したら雨戸３１の開状態を維持する。そして、時間が所定時間（例えば、１２時）を経過するまで雨戸３１の開状態を維持し、この所定時間を経過した時点で図４に示す雨戸３１を閉める動作（Ｃ）に移行する（Ｓ１０９）。
【００２６】
このように、出力電圧Ｐの条件または設定時間ｍの条件のいずれか一方の条件が満たされたときに雨戸３１は開放される。つまり、ユーザ５０が入力した雨戸開放時間、又は通信ネットワーク４０から取得した日の出時間よりも早い時間帯で家屋に当たる日差しが強まってきた場合には、太陽電池２０の出力電圧に基づいて雨戸３１が開放される。これにより、家屋に日差しが当たり明るくなってきたにも関わらず雨戸３１が閉まっているという不自然な状態を防止することができる。
【００２７】
また、ユーザ５０によって雨戸開放時間が入力されている場合には、出力電圧Ｐが所定値Ｘを上回っていなくとも雨戸開放時間（設定時間ｍ）を経過した時点で雨戸３１が開放されるので、ユーザ５０が希望する時間までには確実に雨戸３１を開放させることができる。
【００２８】
（Ｂ）時間が０〜１２時の範囲内（つまり午前）であり、雨戸３１が開いている場合
図３に示すように、この場合には、時間が所定時間（例えば、１２時）を経過するまで雨戸３１の開状態を維持し、この所定時間を経過した時点で図４に示す雨戸３１を閉める動作（Ｃ）に移行する（Ｓ１０９）。
【００２９】
（Ｃ）時間が０〜１２時の範囲外（つまり午後）であり、雨戸３１が開いている場合
図４に示すように、まず、演算部１７が記憶部１４のデータを取得し、記憶部１４にユーザ５０により雨戸閉鎖時間が設定されているかを判断する（Ｓ１１１）。雨戸閉鎖時間とは、ユーザ５０が予め機器制御装置１０の入力部１３に入力する時間データであり、ユーザ５０が希望する雨戸３１の閉鎖動作の開始時間である。
【００３０】
雨戸閉鎖時間が設定されている場合には、演算部１７はその時間（例えば１７時）を設定時間ｎとして処理する（Ｓ１１２）。一方、雨戸閉鎖時間が設定されていない場合には、受信部１２を介して通信ネットワーク４０から家屋が存在する地域の本日の日の入時間データを取得し、記憶部１４に記憶する（Ｓ１１３）。そして、演算部１７はその日の入時間（例えば１８時１０分）を設定時間ｎとして処理する（Ｓ１１４）。なお、取得した日の入時間から所定時間（例えば３０分）短縮させた時間や延長させた時間を設定時間ｎとして処理してもよい。
【００３１】
次に、演算部１７は検出部１１を介して太陽電池２０の出力電圧Ｐを取得し、出力電圧Ｐが所定値Ｙを下回っているかを判断する（Ｓ１１５、Ｓ１１６）。ここで、所定値Ｙは演算部１７に予め設定された閾値であり、例えば、日常生活にて雨戸を閉鎖すると考えられる日射量や時間帯における太陽電池２０の出力電圧などに基づき設定されている。所定値Ｙは図３に示した所定値Ｘよりも小さい値であり、開放動作と閉鎖動作とで異なる閾値が設定されている。朝日と夕日とで日射量に差があるため、開放動作の閾値と閉鎖動作の閾値を変えることで、より自然な開閉動作を行わせることができる。なお、所定値Ｙと比較する出力電圧Ｐは、瞬時値でもよく、所定時間の平均値でもよい。
【００３２】
そして、出力電圧Ｐが所定値Ｙを下回っている場合には、演算部１７は通信部１６を介して雨戸３１を閉鎖させる（Ｓ１１７）。一方、出力電圧Ｐが所定値Ｙを下回っていない場合には、演算部１７は現在の時間が設定時間ｎを経過したかを判断する（Ｓ１１８）。そして、時間が設定時間ｎを経過している場合には雨戸３１を閉鎖させる（Ｓ１１７）。一方、時間が設定時間ｎを経過していない場合には再び太陽電池２０の出力電圧Ｐを取得し、条件を満たすまで繰り返す。なお、出力電圧Ｐが所定値Ｙを下回っていると判断した場合に、再度出力電圧Ｐを取得して改めて取得した出力電圧Ｐが所定値Ｙを下回っているかを判断するようにしてもよい。日射量は天候等によっては短時間で変動するため、これら動作を複数回実施することで一時的に日差しが弱まった時点ではなく、安定して日差しが当たらなくなった時点を判断することができる。
【００３３】
条件を満たし雨戸３１の閉鎖が完了したら雨戸３１の閉状態を維持する。そして、時間が所定時間（例えば、２４時）を経過するまで雨戸３１の閉状態を維持し、この所定時間を経過した時点で図３に示す雨戸３１を開ける動作（Ａ）に移行する（Ｓ１１９）。
【００３４】
このように、出力電圧Ｐの条件または設定時間ｎの条件のいずれか一方の条件が満たされたときに雨戸３１は閉鎖される。つまり、ユーザ５０が入力した雨戸閉鎖時間、又は通信ネットワーク４０から取得した日の入時間よりも早い時間帯で家屋に当たる日差しが弱まってきた場合には、太陽電池２０の出力電圧に基づいて雨戸３１が閉鎖される。これにより、家屋に当たる日差しが弱まり周囲が暗くなってきたにも関わらず雨戸３１が開いているという不自然な状態を無くすことができる。
【００３５】
また、ユーザ５０によって雨戸閉鎖時間が入力されている場合には、出力電圧Ｐが所定値Ｙを下回っていなくとも雨戸閉鎖時間（設定時間ｎ）を経過した時点で雨戸３１を閉鎖するので、ユーザ５０が希望する時間までには確実に雨戸３１を閉鎖させることができる。
【００３６】
（Ｄ）時間が０〜１２時の範囲外（つまり午後）であり、雨戸３１が閉まっている場合
図４に示すように、この場合には、時間が所定時間（例えば、２４時）を経過するまで雨戸３１の閉状態を維持し、この所定時間を経過した時点で図３に示す雨戸３１を開ける動作（Ａ）に移行する（Ｓ１１９）。
【００３７】
以上のように、雨戸３１の開閉動作は繰り返し行われる。この防犯システム１００の動作はユーザ５０が機器制御装置１０の入力部１３で防犯モード解除の操作を行うまで継続する。つまり、長期不在時にも日々の雨戸３１の開閉動作を自動的に行わせることができる。そして、その開閉動作の動作タイミングは季節や天候などによって変化する日々の日射量に応じて変化して行われるので、雨戸３１の開閉動作がパターン化することなく、長期不在時にも屋内に住人が在室しているように感じさせることが可能である。
【００３８】
実施の形態２．
実施の形態２に係る防犯システムの構成は実施の形態１と同じため説明を省略する。図２、図５及び図６は実施の形態２に係る防犯システムの動作の一部を示すフローチャートである。なお、実施の形態２では、雨戸３１を開閉動作させる防犯システムの動作について説明するが、雨戸３１に変えて電動カーテンや電動ブラインドなどを開閉動作させるようにしてもよい。
【００３９】
図２に示すように、ユーザ５０により防犯モードが設定されると防犯システム１００の動作が開始される（Ｓ００１）。まず、演算部１７が時計部１５から時間データを取得し、現在の時間が０〜１２時に該当するか判断する（Ｓ００２）。次に、演算部１７は通信部１６を介して雨戸が閉まっているか又は雨戸３１が開いているかの情報を取得する（Ｓ００３、Ｓ００４）。これらの処理結果により以降の動作が異なり、図５、６を用いて順に説明する。
【００４０】
（Ａ）時間が０〜１２時の範囲内（つまり午前）であり、雨戸３１が閉まっている場合
図５に示すように、まず、演算部１７が記憶部１４のデータを取得し、記憶部１４にユーザ５０により雨戸開放時間が設定されているかを判断する（Ｓ２０１）。雨戸開放時間とは、ユーザ５０が予め機器制御装置１０の入力部１３に入力する時間データであり、ユーザ５０が希望する雨戸３１の開放動作の開始時間である。
【００４１】
雨戸開放時間が設定されている場合には、演算部１７はその時間（例えば７時）を設定時間ｍとして処理する（Ｓ２０２）。一方、雨戸開放時間が設定されていない場合には、受信部１２を介して通信ネットワーク４０から家屋が存在する地域の本日の日の出時間データを取得し、記憶部１４に記憶する（Ｓ２０３）。そして、演算部１７はその日の出時間（例えば６時）を設定時間ｍとして処理する（Ｓ２０４）。なお、取得した日の出時間から所定時間（例えば３０分）短縮させた時間や延長させた時間を設定時間ｍとして処理してもよい。
【００４２】
次に、演算部１７は検出部１１を介して太陽電池２０の出力電圧Ｐを取得し、出力電圧Ｐが所定値Ｘを上回っているかを判断する（Ｓ２０５、Ｓ２０６）。所定値Ｘは演算部１７に予め設定された閾値であり、例えば、日常生活にて雨戸を開放すると考えられる日射量や時間帯における太陽電池２０の出力電圧などに基づき設定されている。なお、所定値Ｘと比較する出力電圧Ｐは、瞬時値でもよく、所定時間の平均値でもよい。
【００４３】
そして、出力電圧Ｐが所定値Ｘを上回っている場合には、演算部１７は次に現在の時間が設定時間ｍを経過したかを判断する（Ｓ２０７）。時間が設定時間ｍを経過している場合には、演算部１７は通信部１６を介して雨戸３１を開放させる（Ｓ２０８）。一方、出力電圧Ｐが所定値Ｘを上回っていない場合、又は時間が設定時間ｍを経過していない場合には、再び太陽電池２０の出力電圧Ｐを取得し、条件を満たすまで繰り返す。なお、出力電圧Ｐが所定値Ｘを上回っていると判断した場合に、再度出力電圧Ｐを取得して改めて取得した出力電圧Ｐが所定値Ｘを上回っているかを判断するようにしてもよい。日射量は天候等によっては短時間で変動するため、これら動作を複数回実施することで一時的に日差しが強まった時点ではなく、安定して日差しが当たるようになった時点を判断することができる。
【００４４】
条件を満たし雨戸３１の開放が完了したら雨戸３１の開状態を維持する。そして、時間が所定時間（例えば、１２時）を経過するまで雨戸３１の開状態を維持し、この所定時間を経過した時点で図６に示す雨戸３１を閉める動作（Ｃ）に移行する（Ｓ２０９）。なお、図５には示していないが、雨戸３１を閉める動作（Ｃ）に移行させる所定時間を経過するまで、出力電圧Ｐが所定値Ｘを上回らなかった場合には、雨戸３１を開放させることなく、図６に示す雨戸３１の閉状態を維持する動作（Ｄ）に移行する。これにより、日中に十分な日射量が得られない場合（天候が極端に悪い日など）には雨戸は開放されないことになるが、そのような場合には雨戸が開放されなくとも不自然ではない。
【００４５】
このように、出力電圧Ｐの条件及び設定時間ｍの条件の両方の条件が満たされたときに雨戸３１は開放される。つまり、家屋に十分な日差しが当たるようになり、且つユーザ５０が入力した雨戸開放時間を経過した場合、又は、家屋に十分な日差しが当たるようになり、且つ通信ネットワーク４０から取得した日の出時間を経過した場合に、雨戸３１が開放される。
【００４６】
これにより、家屋に十分な日差しが当たる前に雨戸３１が開放されることを防止することができると共に、ユーザ５０が希望する雨戸開放時間よりも早い時間帯に雨戸３１が開放することを防止することができる。また、日々の天候によって変化するユーザ５０の日常の動作を再現させることが可能となる。例えば、普段ユーザ５０が７時に雨戸３１を開けているが、曇りや雨の天候で外がまだ暗いときには７時以降に外が明るくなってきたら雨戸３１を開けている場合などを再現することができる。このときユーザ５０が改めて雨戸開放時間を設定し直す必要はないため使い勝手がよい。
【００４７】
（Ｂ）時間が０〜１２時の範囲内（つまり午前）であり、雨戸３１が開いている場合
図５に示すように、この場合には、時間が所定時間（例えば、１２時）を経過するまで雨戸３１の開状態を維持し、この所定時間を経過した時点で図６に示す雨戸３１を閉める動作に移行する（Ｓ２０９）。
【００４８】
（Ｃ）時間が０〜１２時の範囲外（つまり午後）であり、雨戸３１が開いている場合
図６に示すように、まず、演算部１７が記憶部１４のデータを取得し、記憶部１４にユーザ５０により雨戸閉鎖時間が設定されているかを判断する（Ｓ２１１）。雨戸閉鎖時間とは、ユーザ５０が予め機器制御装置１０の入力部１３に入力する時間データであり、ユーザ５０が希望する雨戸３１の閉鎖動作の開始時間である。
【００４９】
雨戸閉鎖時間が設定されている場合には、演算部１７はその時間（例えば１７時）を設定時間ｎとして処理する（Ｓ２１２）。一方、雨戸閉鎖時間が設定されていない場合には、受信部１２を介して通信ネットワーク４０から家屋が存在する地域の本日の日の入時間データを取得し、記憶部１４に記憶する（Ｓ２１３）。そして、演算部１７はその日の入時間（例えば１８時）を設定時間ｎとして処理する（Ｓ２１４）。なお、取得した日の入時間から所定時間（例えば３０分）を短縮させた時間や延長させた時間を設定時間ｎとして処理してもよい。
【００５０】
次に、演算部１７は検出部１１を介して太陽電池２０の出力電圧Ｐを取得し、出力電圧Ｐが所定値Ｙを下回っているかを判断する（Ｓ２１５、Ｓ２１６）。所定値Ｙは演算部１７に予め設定された閾値であり、例えば、日常生活にて雨戸を閉鎖すると考えられる日射量や時間帯における太陽電池２０の出力電圧などに基づき設定されている。所定値Ｙは図５に示した所定値Ｘよりも小さい値であり、開放時と閉鎖時とで異なる閾値が設定されている。開放時の閾値と閉鎖時の閾値を変えることで、より自然な開閉動作を行わせることができる。なお、所定値Ｙと比較する出力電圧Ｐは、瞬時値でもよく、所定時間の平均値でもよい。
【００５１】
そして、出力電圧Ｐが所定値Ｙを下回っている場合には、演算部１７は次に現在の時間が設定時間ｎを経過したかを判断する（Ｓ２１７）。時間が設定時間ｎを経過している場合には、演算部１７は通信部１６を介して雨戸３１を閉鎖させる（Ｓ２１８）。一方、出力電圧Ｐが所定値Ｙを下回っていない場合、又は時間が設定時間ｎを経過していない場合には、再び太陽電池２０の出力電圧Ｐを取得し、条件を満たすまで繰り返す。なお、出力電圧Ｐが所定値Ｙを下回っていると判断した場合に、再度出力電圧Ｐを取得して改めて取得した出力電圧Ｐが所定値Ｙを下回っているかを判断するようにしてもよい。日射量は天候等によっては短時間で変動するため、これら動作を複数回実施することで一時的に日差しが弱まった時点ではなく、安定して日差しが当たらなくなった時点を判断することができる。
【００５２】
条件を満たし雨戸３１の閉鎖が完了したら雨戸３１の閉状態を維持する。そして、時間が所定時間（例えば、２４時）を経過するまで雨戸３１の閉状態を維持し、この所定時間を経過した時点で図５に示す雨戸３１を開ける動作（Ａ）に移行する（Ｓ２１９）。
【００５３】
このように、出力電圧Ｐの条件及び設定時間ｎの条件の両方の条件が満たされたときに雨戸３１は閉鎖される。つまり、家屋に十分な日差しが当たらなくなった状態になり、且つユーザ５０が入力した雨戸閉鎖時間を経過した場合、又は、家屋に十分な日差しが当たらなくなった状態になり、且つ通信ネットワーク４０から取得した日の入時間を経過した場合に、雨戸３１が閉鎖される。
【００５４】
これにより、家屋にまだ十分な日差しが当たっている状態で雨戸３１が閉鎖されることを防止することができると共に、ユーザ５０が希望する雨戸閉鎖時間よりも早い時間帯に雨戸３１が閉鎖することを防止することができる。
【００５５】
（Ｄ）時間が０〜１２時の範囲外（つまり午後）であり、雨戸３１が閉まっている場合
図６に示すように、この場合には、時間が所定時間（例えば、２４時）を経過するまで雨戸３１の閉状態を維持し、この所定時間を経過した時点で図５に示す雨戸３１を開ける動作（Ａ）に移行する（Ｓ２１９）。
【００５６】
以上のように、雨戸３１の開閉動作は繰り返し行われる。この防犯システム１００の動作はユーザ５０が機器制御装置１０の入力部１３で防犯モード解除の操作を行うまで継続する。つまり、長期不在時にも日々の雨戸３１の開閉動作を自動的に行わせることができる。そして、その開閉動作の動作タイミングは季節や天候などによって変化する日々の日射量に応じて変化して行われるので、雨戸３１の開閉動作がパターン化することなく、長期不在時にも屋内に住人が在室しているように感じさせることが可能である。
【００５７】
実施の形態３．
実施の形態１、２では太陽電池２０の出力電圧に基づき雨戸３１を動作させる防犯システムについて説明したが、実施の形態３では太陽電池２０の出力電圧に基づきエアコン３２、換気扇３３を動作させる防犯システムについて説明をする。なお、エアコン３２については室外機を動作させるものであり、以下の説明ではエアコン３２を室外機３２として説明する。室内機も合わせて動作させてもよいが、室外機３２のみを動作させることで消費電力を最小限に抑えることができる。
【００５８】
実施の形態３に係る防犯システムの構成は実施の形態１、２と同じため説明を省略する。図７は実施の形態３に係る防犯システムの動作を示すフローチャートである。なお、実施の形態３に係る防犯システムでは、通信ネットワークから気象データを取得し、気象データに応じて室外機３２、換気扇３３のいずれかを動作させる。また、室外機３２については気象データに応じて動作開始、動作停止のタイミングが変化する。以下、詳細に説明する。
【００５９】
図７に示すように、ユーザ５０により防犯モードが設定されると防犯システム１００の動作が開始される（Ｓ３０１）。まず、受信部１２を介して通信ネットワーク４０から家屋が存在する地域の気象データを取得し、記憶部１４に記憶する（Ｓ３０２）。ここで、気象データとは季節や天候によって変化する温度等のデータである。実施の形態３では気象データとして本日の予想最高気温を使用し、予想最高気温が２５℃以上（夏を想定）、１５℃未満（冬を想定）、１５℃以上２５℃未満（春、秋を想定）の場合で制御内容が変化する。
【００６０】
本日の予想最高気温が２５℃以上の場合について説明する。
まず演算部１７は検出部１１を介して太陽電池２０の出力電圧Ｐを取得し、出力電圧Ｐが所定値Ｖを上回っているかを判断する（Ｓ３１１、３１２）。所定値Ｖは演算部１７に予め設定された閾値であり、例えば、気温が高くなりエアコンの冷房運転を動作させると考えられる日射量や時間帯における太陽電池２０の出力電圧などに基づき設定されている。なお、所定値Ｖと比較する出力電圧Ｐは、瞬時値でもよく、所定時間の平均値でもよい。
【００６１】
そして、出力電圧Ｐが所定値Ｖを上回っている場合には、演算部１７は通信部１６を介して室外機３２を駆動させる（Ｓ３１３）。一方、出力電圧Ｐが所定値Ｖを上回っていない場合には、再び太陽電池２０の出力電圧Ｐを取得し、条件を満たすまで繰り返す。なお、出力電圧Ｐが所定値Ｖを上回っていると判断した場合に、再度出力電圧Ｐを取得して改めて取得した出力電圧Ｐが所定値Ｖを上回っているかを判断するようにしてもよい。日射量は天候等によっては短時間で変動するため、これら動作を複数回実施することで、出力電圧Ｐが一時的に所定値Ｖを上回った時点ではなく、安定して所定値Ｖを上回った時点を判断することができる。
【００６２】
室外機３２を駆動させた後は、演算部１７は検出部１１を介して太陽電池２０の出力電圧Ｐを取得し、出力電圧Ｐが所定値Ｗを下回っているかを判断する（Ｓ３１４、３１５）。そして、出力電圧Ｐが所定値Ｗを下回っている場合には、演算部１７は通信部１６を介して室外機３２を停止させる（Ｓ３１６）。一方、出力電圧Ｐが所定値Ｗを下回っていない場合には、再び太陽電池２０の出力電圧Ｐを取得し、条件を満たすまで繰り返す。所定値Ｗは演算部１７に予め設定された閾値であり、例えば、気温が低くなりエアコンの冷房運転を停止させると考えられる日射量や時間帯における太陽電池２０の出力電圧などに基づき設定されている。また、所定値Ｗは所定値Ｖよりも小さい値であり、停止時の閾値を動作開始時の閾値よりも低く設定することで、室外機３２が動作した後に、曇などの影響を受けて日射量が変動して、すぐに室外機３２が停止することを防止することができる。なお、所定値Ｗと比較する出力電圧Ｐは、瞬時値でもよく、所定時間の平均値でもよい。
【００６３】
室外機３２を停止させた後は、時間が２４時を経過するまで待機状態となり、時間が２４時を経過した時点で動作の始め（Ｅ）に移行する（Ｓ３１７）。そして、次の日の気象データを取得し、取得した気象データに基づく動作を継続して行う。
【００６４】
このように、日中の気温の高い時間帯を太陽電池２０の出力電圧Ｐに基づき判断し、その時間に室外機３２を動作させる。これにより、夏の気温の高い日中に室外機３２が動いていないことから住人が不在であると察知されることを防止することができ、室外機３２が動作することで屋内に住人が在室しているように感じさせることができる。
【００６５】
次に、本日の予想最高気温が１５℃未満の場合について説明する。
まず演算部１７は検出部１１を介して太陽電池２０の出力電圧Ｐを取得し、出力電圧Ｐが０よりも大きく、且つ所定値Ｗを下回っているかを判断する（Ｓ３２１、３２２）。所定値Ｗは演算部１７に予め設定された閾値であり、例えば、気温が低くエアコンの暖房運転を動作させると考えられる日射量や時間帯における太陽電池２０の出力電圧などに基づき設定されている。なお、この所定値Ｗは、予想最高気温が２５℃以上の場合の動作で説明した所定値Ｗと共通にしているが、異なる値を設定するようにしてもよい。また、所定値Ｗと比較する出力電圧Ｐは、瞬時値でもよく、所定時間の平均値でもよい。
【００６６】
そして、出力電圧Ｐが０よりも大きく、且つ所定値Ｗを下回っている場合には、演算部１７は通信部１６を介して室外機３２を駆動させる（Ｓ３２３）。一方、出力電圧Ｐが所定値Ｗ以上の場合には、再び太陽電池２０の出力電圧Ｐを取得し、条件を満たすまで繰り返す。なお、出力電圧Ｐが０よりも大きく、且つ所定値Ｗを下回っていると判断した場合に、再度出力電圧Ｐを取得して改めて取得した出力電圧Ｐが０よりも大きく、且つ所定値Ｗを下回っているかを判断するようにしてもよい。日射量は天候等によっては短時間で変動するため、これら動作を複数回実施することで、出力電圧Ｐが一時的に所定値Ｗを下回っている時点ではなく、安定して所定値Ｗを下回っている時点を判断することができる。
【００６７】
室外機３２を駆動させた後は、演算部１７は検出部１１を介して太陽電池２０の出力電圧Ｐを取得し、出力電圧Ｐが所定値Ｗを上回っているかを判断する（Ｓ３２４、３２５）。そして、出力電圧Ｐが所定値Ｗを上回っている場合には、演算部１７は通信部１６を介して室外機３２を停止させる（Ｓ３２６）。一方、出力電圧Ｐが所定値Ｗを上回っていない場合には、再び太陽電池２０の出力電圧Ｐを取得し、条件を満たすまで繰り返す。これにより、例えば、気温が高くなりエアコンの暖房運転を停止させると考えられる日射量になったことを判断している。なお、所定値Ｗと比較する出力電圧Ｐは、瞬時値でもよく、所定時間の平均値でもよい。
【００６８】
室外機３２を停止させた後は、時間が２４時を経過するまで待機状態となり、時間が２４時を経過した時点で動作の始め（Ｅ）に移行する（Ｓ３２７）。そして、次の日の気象データを取得し、取得した気象データに基づく動作を継続して行う。
【００６９】
このように、朝方の気温の低い時間帯を太陽電池２０の出力電圧Ｐに基づき判断し、その時間に室外機３２を動作させる。これにより、冬の気温の低い朝方に室外機３２が動いていないことから住人が不在であると察知されることを防止することができ、室外機３２が動作することで屋内に住人が在室しているように感じさせることができる。
【００７０】
次に、本日の予想最高気温が１５℃以上２５℃未満の場合について説明する。
まず演算部１７は検出部１１を介して太陽電池２０の出力電圧Ｐを取得し、出力電圧Ｐが所定値Ｖを上回っているかを判断する（Ｓ３３１、３３２）。所定値Ｖは演算部１７に予め設定された閾値であり、例えば、室内の気温が高くなり換気扇３３を動作させると考えられる日射量や時間帯における太陽電池２０の出力電圧などに基づき設定されている。なお、この所定値Ｖは、予想最高気温が２５℃以上の場合の動作で説明した所定値Ｖと共通にしているが、異なる値を設定するようにしてもよい。また、所定値Ｖと比較する出力電圧Ｐは、瞬時値でもよく、所定時間の平均値でもよい。
【００７１】
そして、出力電圧Ｐが所定値Ｖを上回っている場合には、演算部１７は通信部１６を介して換気扇３３を駆動させる（Ｓ３３３）。一方、出力電圧Ｐが所定値Ｖを上回っていない場合には、再び太陽電池２０の出力電圧Ｐを取得し、条件を満たすまで繰り返す。なお、出力電圧Ｐが所定値Ｖを上回っていると判断した場合に、再度出力電圧Ｐを取得して改めて取得した出力電圧Ｐが所定値Ｖを上回っているかを判断するようにしてもよい。日射量は天候等によっては短時間で変動するため、これら動作を複数回実施することで、出力電圧Ｐが一時的に所定値Ｖを上回った時点ではなく、安定して所定値Ｖを上回った時点を判断することができる。
【００７２】
換気扇３３を駆動させた後は、演算部１７は検出部１１を介して太陽電池２０の出力電圧Ｐを取得し、出力電圧Ｐが所定値Ｗを下回っているかを判断する（Ｓ３３４、３３５）。そして、出力電圧Ｐが所定値Ｗを下回っている場合には、演算部１７は通信部１６を介して換気扇３３を停止させる（Ｓ３３６）。一方、出力電圧Ｐが所定値Ｗを下回っていない場合には、再び太陽電池２０の出力電圧Ｐを取得し、条件を満たすまで繰り返す。これにより、例えば、気温が高くなりエアコンの暖房運転を停止させると考えられる日射量になったことを判断している。また、所定値Ｗは所定値Ｖよりも小さい値であり、停止時の閾値を動作開始時の閾値よりも低く設定することで、換気扇３３が動作した後に、曇などの影響を受けて日射量が変動して、すぐに換気扇３３が停止することを防止することができる。なお、所定値Ｗと比較する出力電圧Ｐは、瞬時値でもよく、所定時間の平均値でもよい。
【００７３】
換気扇３３を停止させた後は、時間が２４時を経過するまで待機状態となり、時間が２４時を経過した時点で動作の始め（Ｅ）に移行する（Ｓ３３７）。そして、次の日の気象データを取得し、取得した気象データに基づく動作を継続して行う。
【００７４】
このように、日中の気温の高い時間帯を太陽電池２０の出力電圧Ｐに基づき判断し、その時間に換気扇３３を動作させる。これにより、春、秋のように比較的エアコン３２を動作させる機会が少ない季節には、エアコン３２に変えて換気扇３３を動作させることで、屋内に住人が在室しているように感じさせることができる。
【００７５】
以上のように、室外機３２又は換気扇３３の動作は繰り返し行われる。この防犯システム１００の動作はユーザ５０が機器制御装置１０の入力部１３で防犯モード解除の操作を行うまで継続する。つまり、長期不在時にも日々、室外機３２又は換気扇３３を自動的に動作させて防犯効果を発揮させることができる。そして、季節や天候などによって変化する日々の日射量に応じて、動作させる機器や動作タイミングを変化させるので、長期不在時にも屋内に住人が在室しているように感じさせることが可能である。
【００７６】
ここで、実施の形態３で説明した室外機３２の動作と同様に家屋内のテレビ３４を動作させてもよい。この場合、２つの閾値（実施の形態３でいう所定値Ｖ、Ｗ）の値を適宜設定することで、太陽電池２０の出力電圧Ｐに応じて自動的に、日中のある日射量のときにテレビ３４を動作させたり、日の入後にテレビ３４を動作させたりすることができる。そして、テレビの音声により屋内に住人が在室しているように感じさせることが可能である。なお、テレビ３４を動作させる場合には音声のみを出力させることで消費電力を最小限に抑えることができる。
【００７７】
また、実施の形態１、２で説明した雨戸３１の開閉動作において、雨戸３１の動作に合わせて家屋内の照明３５を点灯、消灯させてもよい。例えば、日常生活において雨戸３１を閉鎖した時点から就寝までの間は照明３５を点灯することが一般的であることから、図４、図６に示した雨戸３１を閉める処理（Ｓ１１７、Ｓ２１８）の後に照明３５を所定時間だけ点灯させる。また、日常生活において雨戸３１を開放したら照明３５を消灯することが一般的であることから、図３、図５に示した雨戸３１を開ける処理（Ｓ１０７、Ｓ２０８）の前に一時的に照明３５を点灯させ、雨戸３１を開ける処理の後に照明３５を消灯させる。これにより、雨戸３１の閉鎖後には家屋の他の窓等から照明３５の明かりが漏れ、雨戸３１の開放後には照明３５が消灯するので、屋内に住人が在室しているように感じさせることが可能である。
【００７８】
なお、実施の形態３で説明した室外機３２又は換気扇３３の動作開始、動作停止の条件として、太陽電池２０の出力電圧Ｐに基づいて判断するだけでなく、実施の形態１、２で説明した設定時間ｍ、ｎを組み合わせて動作開始、動作停止の判断をするようにしてもよい。また、実施の形態１、２で説明した雨戸３１の開閉動作において、実施の形態３で説明した気象データを採用してもよく、季節に応じてより細かな雨戸３１の開閉動作を行わせることができ、防犯効果をさらに向上させることができる。さらに、実施の形態１、２で説明した雨戸３１の開閉動作の動作タイミングを実施の形態３で説明したように出力電圧Ｐのみに基づいて判断してもよい。
【００７９】
また、これまでに説明した雨戸３１、室外機３２、換気扇３３、テレビ３４及び照明３５の動作を並行して実施させてもよく、複数の電気機器３０を動作させることで、屋内に住人が在室しているように、より一層感じさせることが可能である。
【符号の説明】
【００８０】
１０  機器制御装置、１１  検出部、１２  受信部、１３  入力部、１４  記憶部、１５  時計部、１６  通信部、１７  演算部、２０  太陽電池、３０  電気機器、３１  雨戸、３２  エアコン（室外機）、３３  換気扇、３４  テレビ、３５  照明、４０  通信ネットワーク、５０  ユーザ、１００  防犯システム。
【図１】
2014206852.tif 000003
【図２】
2014206852.tif 000004
【図３】
2014206852.tif 000005
【図４】
2014206852.tif 000006
【図５】
2014206852.tif 000007
【図６】
2014206852.tif 000008
【図７】
2014206852.tif 000009